(57)【要約】【課題】ＰＴＴスイッチにおける押下の容易化と不用意な押下の防止という相反する要求の双方に対処することができる技術を提供する。【解決手段】ＰＴＴスイッチと、ＰＴＴスイッチに付与される押下圧力を検出する押下圧力検出手段と、押下圧力検出手段の出力に基づきＰＴＴスイッチがオン状態又はオフ状態にあることを定めるオンオフ状態決定手段（ステップ４２）とを備えた送受信装置において、ＰＴＴスイッチをオン状態とするために必要な押下圧力の設定を受け入れる押下圧力設定手段（ステップ４１、４５、４６）を設ける。押下圧力設定手段は、所定の押下圧力設定モードにおける所定のタイミングにおいてＰＴＴスイッチが押下されているときの圧力検出手段の出力に基いて押下圧力の設定を行う（ステップ４５、４６）。【選択図】図４
2007142512.tif 000002
【特許請求の範囲】
【請求項１】
ＰＴＴスイッチと、前記ＰＴＴスイッチに付与される押下圧力を検出する押下圧力検出手段と、前記押下圧力検出手段の出力に基づき前記ＰＴＴスイッチがオン状態又はオフ状態にあることを定めるオンオフ状態決定手段とを備えた送受信装置において、前記ＰＴＴスイッチをオン状態とするために必要な押下圧力の設定を受け入れる押下圧力設定手段を具備することを特徴とする送受信装置。
【請求項２】
前記押下圧力設定手段は、所定の押下圧力設定モードにおける所定のタイミングにおいて前記ＰＴＴスイッチが押下されているときの前記圧力検出手段の出力に基いて前記押下圧力の設定を行うものであることを特徴とする請求項１に記載の送受信装置。
【請求項３】
前記所定のタイミングは、所定の読取操作が行われた時点、前記押下圧力設定モードに移行してから所定の時点までに前記圧力検出手段の出力が最大の圧力値を示した時点、又は前記押下圧力設定モードに移行してから所定の時間が経過した時点であることを特徴とする請求項２に記載の送受信装置。
【請求項４】
前記押下圧力設定手段は、所定の暫定設定値に対応する表示又は音の出力を行う手段と、前記暫定設定値の変更を受け入れる手段と、行われている前記表示又は音の出力に対応する暫定設定値を、前記押下圧力の設定に係る設定値として確定する旨の指示を受け入れる手段とを有することを特徴とする請求項１に記載の送受信装置。
【請求項５】
前記変更受入れ手段は、前記ＰＴＴスイッチが押下されたときの前記押下圧力検出手段の出力に基づいて前記暫定設定値の変更を行うものであることを特徴とする請求項４に記載の送受信装置。
【請求項６】
前記押下圧力検出手段は、前記ＰＴＴスイッチに付与される押下圧力に基づいてオン状態となる複数のスイッチ手段を備え、各スイッチ手段がオン状態となる前記押下圧力は異なっており、前記オンオフ状態決定手段は、どのスイッチ手段がオン状態になっているか及び前記押下圧力の設定に係る設定値に基づき、前記ＰＴＴスイッチがオン状態又はオフ状態にあることを決定するものであることを特徴とする請求項１に記載の送受信装置。
【請求項７】
前記ＰＴＴスイッチに付与される押下圧力に対し、その押下圧力によるＰＴＴスイッチの変位に応じた反発力を発生する付勢手段を備え、前記押下圧力の設定は、前記付勢手段の交換により行われるものであることを特徴とする請求項１に記載の送受信装置。
【請求項８】
前記ＰＴＴスイッチに付与される押下圧力に対し、その押下圧力によるＰＴＴスイッチの変位に応じた反発力を発生する付勢手段、及び前記付勢手段の位置を設定する手段を備え、前記押下圧力の設定は、前記付勢手段の位置を設定することによって行われるものであることを特徴とする請求項１に記載の送受信装置。
【請求項９】
ＰＴＴスイッチと、前記ＰＴＴスイッチに付与される押下圧力を検出する押下圧力検出手段とを備えた送受信装置における送受信方法であって、前記押下圧力検出手段の出力に基づき前記ＰＴＴスイッチがオン状態又はオフ状態にあることを定めるオンオフ状態決定工程と、前記ＰＴＴスイッチをオン状態とするために必要な押下圧力の設定を受け入れる押下圧力設定工程とを具備することを特徴とする送受信方法。
【請求項１０】
ＰＴＴスイッチと、前記ＰＴＴスイッチに付与される押下圧力を検出する押下圧力検出手段とを備えた送受信装置に、前記押下圧力検出手段の出力に基づき前記ＰＴＴスイッチがオン状態又はオフ状態にあることを定めるオンオフ状態決定手順と、前記ＰＴＴスイッチをオン状態とするために必要な押下圧力の設定を受け入れる押下圧力設定手順とを実行させることを特徴とする送受信プログラム。
【発明の詳細な説明】
【技術分野】
【０００１】
本発明は、ＰＴＴスイッチを備えた送受信装置、並びにこれに適した送受信方法及び送受信プログラムに関する。
【背景技術】
【０００２】
一般に、無線機による半二重通信方式での会話は、一方がＰＴＴ（プッシュ・ツー・トーク）スイッチを押下ながら送話し、他方はＰＴＴスイッチを押下していない状態で受話するという動作を、両者が交互に行うことによって行われる。つまり、無線機は、ＰＴＴスイッチが所定の押下圧力以上の押下圧力で押下されることによりオン状態となっている間だけ送信モードとなり、そのような押下がなされていない間は受信モードとなる。
【０００３】
図１は、このような一般的な無線機の一例を示す外観図である。図中の１１はＰＴＴスイッチであり、これが所定の押下圧力以上の押下圧力で押下されている間、無線機は送信モードとなる。その他、この無線機には、通話を行うためのマイクとスピーカ、呼出し番号設定用のキーパッド１２、使用中のチャンネルや呼出し番号等を表示するためのディスプレイ１３、各種機能を設定するためのオプションスイッチ１４等が設けられている。
【０００４】
図１８はＰＴＴスイッチ１１の構造の従来例を示す断面図である。図中の２１は無線機のシャシ、１８１はシャシ２１上に設けられたタクトスイッチ、２３はシャシ２１及びタクトスイッチ１８１上に設けられたＰＴＴキー、２４は無線機のケースである。ＰＴＴキー２３の上面はケース２４から露出しており、ユーザがこの面を、矢印２５方向に押下することができるようになっている。
【０００５】
タクトスイッチ１８１はＰＴＴキー２３の下面及びシャシ２１間に設けられている。ＰＴＴキー２３が所定押下圧力以上の押下圧力で押下されたとき、タクトスイッチ１８１はオン状態となる。つまり、ＰＴＴスイッチ１１がオン状態であるかどうかは、タクトスイッチ１８１がオン状態であるかどうかにより決定されるようになっている。
【０００６】
なお、このように、タクトスイッチにより押しボタンスイッチの押下を検出するようにした従来技術として、たとえば特許文献１に記載されたスピーカマイクに設けられた押しボタン装置を挙げることができる。
【特許文献１】特開２００２−４２６０３号公報
【発明の開示】
【発明が解決しようとする課題】
【０００７】
しかしながら、図１８の従来技術によれば、ＰＴＴキー２３が所定押下圧力以上の押下圧力で押下された場合に、ＰＴＴスイッチ１１がオン状態になったと判定し、送信モードとなるようにしているので、ユーザや使用状況によっては操作しにくい場合がある。すなわち、筋力の弱い女性や高齢のユーザの場合には、ＰＴＴキー２３が硬くて、所定押下圧力以上の押下圧力で押下することが困難であったり、ユーザが防火手袋等を装着している場合には、ＰＴＴキー２３が柔らかすぎて押下感がなく、無線機を持ち上げただけでＰＴＴスイッチ１１がオン状態になってしまったりする場合がある。
【０００８】
これに対し、ＰＴＴスイッチ１１をオン状態とする押下圧力を小さく設計することにより、筋力の弱い人でも押下し易くすることも可能であるが、そうすると、不用意なＰＴＴスイッチ１１の押下が多くなってしまうことになる。一方、オン状態とする押下圧力を大きく設計して不用意な押下を防止するようにすると、筋力の弱いユーザにとってはますます押下しづらくなってしまう。つまり、押下を容易にすることと不用意な押下を防止することとは相反する要求であり、双方の折合いをつけるのは困難であるという問題がある。
【０００９】
本発明の目的は、このような従来技術の問題点に鑑み、ＰＴＴスイッチにおける押下の容易化と不用意な押下の防止という相反する要求の双方に対処することができる技術を提供することにある。
【課題を解決するための手段】
【００１０】
上記目的を達成するための第１の発明は、ＰＴＴスイッチと、ＰＴＴスイッチに付与される押下圧力を検出する押下圧力検出手段と、押下圧力検出手段の出力に基づきＰＴＴスイッチがオン状態又はオフ状態にあることを定めるオンオフ状態決定手段とを備えた送受信装置に関する。そしてこの装置は、ＰＴＴスイッチをオン状態とするために必要な押下圧力の設定を受け入れる押下圧力設定手段を具備することを特徴とする。
【００１１】
ここで、送受信装置としては、たとえば、無線送受信機が該当する。押下圧力検出手段としては、たとえば、圧力センサや、タクトスイッチ、２段タクトスイッチが該当する。押下圧力の設定に際して設定される設定値としては、たとえば、押下圧力を表す数値や、押下圧力の程度を表す「大」、「中」、「小」を用いることができる。
【００１２】
この構成において、ＰＴＴスイッチをオン状態とするために必要な押下圧力の設定を押下圧力設定手段によって受け入れると、その後、送話のためにＰＴＴスイッチが押下された場合、オンオフ状態決定手段は、押下圧力検出手段の出力に基づき、設定された押下圧力との関係で、ＰＴＴスイッチがオン状態又はオフ状態にあることを定める。オン状態にあると決定された場合には、送受信装置は送信モードに移行し、送話を許容することができる。
【００１３】
第２の発明に係る送受信装置は、第１発明において、押下圧力設定手段は、所定の押下圧力設定モードにおける所定のタイミングにおいてＰＴＴスイッチが押下されているときの圧力検出手段の出力に基いて押下圧力の設定を行うものであることを特徴とする。
【００１４】
第３の発明に係る送受信装置は、第２発明において、前記所定のタイミングは、所定の読取操作が行われた時点、押下圧力設定モードに移行してから所定の時点までに圧力検出手段の出力が最大の圧力値を示した時点、又は押下圧力設定モードに移行してから所定の時間が経過した時点であることを特徴とする。
【００１５】
第４の発明に係る送受信装置は、第１発明において、押下圧力設定手段は、所定の暫定設定値に対応する表示又は音の出力を行う手段と、暫定設定値の変更を受け入れる変更受入れ手段と、行われている前記表示又は音の出力に対応する暫定設定値を、前記押下圧力の設定に係る設定値として確定する旨の指示を受け入れる手段とを有することを特徴とする。
【００１６】
第５の発明に係る送受信装置は、第４発明において、変更受入れ手段は、ＰＴＴスイッチが押下されたときの押下圧力検出手段の出力に基づいて暫定設定値の変更を行うものであることを特徴とする。
【００１７】
第６の発明に係る送受信装置は、第１発明において、押下圧力検出手段は、ＰＴＴスイッチに付与される押下圧力に基づいてオン状態となる複数のスイッチ手段を備え、各スイッチ手段がオン状態となるＰＴＴスイッチへの押下圧力は異なっており、オンオフ状態決定手段は、どのスイッチ手段がオン状態になっているか及び前記押下圧力の設定に係る設定値に基づき、ＰＴＴスイッチがオン状態又はオフ状態にあることを決定するものであることを特徴とする。複数のスイッチ手段としては、たとえば、複数のタクトスイッチや、１つの２段階タクトスイッチにおける弱検出素子及び強検出素子が該当する。
【００１８】
第７の発明に係る送受信装置は、第１発明において、ＰＴＴスイッチに付与される押下圧力に対し、その押下圧力によるＰＴＴスイッチの変位に応じた反発力を発生する付勢手段を備え、前記押下圧力の設定は、前記付勢手段の交換により行われるものであることを特徴とする。
【００１９】
第８の発明に係る送受信装置は、第１発明において、ＰＴＴスイッチに付与される押下圧力に対し、その押下圧力によるＰＴＴスイッチの変位に応じた反発力を発生する付勢手段、及び付勢手段の位置を設定する手段を備え、前記押下圧力の設定は、付勢手段の位置を設定することによって行われるものであることを特徴とする。
【００２０】
第９の発明に係る送受信方法は、ＰＴＴスイッチと、ＰＴＴスイッチに付与される押下圧力を検出する押下圧力検出手段とを備えた送受信装置における送受信方法であって、押下圧力検出手段の出力に基づきＰＴＴスイッチがオン状態又はオフ状態にあることを定めるオンオフ状態決定工程と、ＰＴＴスイッチをオン状態とするために必要な押下圧力の設定を受け入れる押下圧力設定工程とを具備することを特徴とする。
【００２１】
第１０の発明に係る送受信プログラムは、ＰＴＴスイッチと、ＰＴＴスイッチに付与される押下圧力を検出する押下圧力検出手段とを備えた送受信装置に、押下圧力検出手段の出力に基づきＰＴＴスイッチがオン状態又はオフ状態にあることを定めるオンオフ状態決定手順と、ＰＴＴスイッチをオン状態とするために必要な押下圧力の設定を受け入れる押下圧力設定手順とを実行させることを特徴とする。
【発明の効果】
【００２２】
本発明によれば、ＰＴＴスイッチをオン状態とするために必要な押下圧力の設定を受け入れるようにしたため、押下の容易化と不用意な押下の防止という相反する要求の双方に対処することができる。すなわち、ＰＴＴスイッチをオン状態とすることが、強い押下圧力を要するために困難であると感じる場合には、押下圧力が弱くてもＰＴＴスイッチをオン状態とすることができるように押下圧力の設定を行い、一方、不用意な押下を防止したい場合には、ＰＴＴスイッチをオン状態とする押下圧力が強くなるように押下圧力の設定を行うことにより、双方の場合に対応することができる。
【発明を実施するための最良の形態】
【００２３】
図１は本発明の一実施形態に係る無線機の外観図である。図中の１１はＰＴＴスイッチである。無線機は、受信待受け状態にある受信モードにおいて、ＰＴＴスイッチ１１に対し、予め設定された押下圧力以上の押下圧力が付与された場合に、ＰＴＴスイッチ１１がオン状態になったと判定し、送信モードとなるように構成されている。この無線機はその他、通話を行うためのスピーカやマイク、呼出し番号設定用のキーパッド１２、使用中のチャンネルや呼出し番号等を表示するためのディスプレイ１３、各種機能を設定するためのオプションスイッチ１４等を備える。
【００２４】
図２はＰＴＴスイッチ１１の構造を示す断面図である。図中の２１は無線機のシャシ、２２はシャシ２１上に設けられた圧力センサ、２３はシャシ２１及び圧力センサ２２上に設けられたＰＴＴキー、２４は無線機のケースである。ＰＴＴキー２３の上面はケース２４上に露出しており、ユーザがこの面を矢印２５方向に押下することができるようになっている。圧力センサ２２はＰＴＴキー２３の下面とシャシ２１との間に設けられ、ＰＴＴキー２３が押下されたとき、その押下圧力を検出することができるようになっている。検出される押下圧力が設定押下圧力以上の場合にはＰＴＴスイッチ１１がオン状態にあり、設定押下圧力未満の場合にはオフ状態にあると判定される。
【００２５】
図３は図１の無線機における要部の構成を示すブロック図である。図中の３１は圧力センサ２２の出力に基づく所定の処理や、装置各部の制御等を行うマイコン、３２はＰＴＴキー２３以外のその他のキーである。その他のキー３２には、押下圧力の設定を行うモードへ移行させる操作を行うためのキーが含まれる。その他のキー３２にはまた、該押下圧力設定モードにおいて、ＰＴＴキー２３に付与される押下圧力を圧力センサ２２から読み取らせるための押下圧力読取キーとして機能するキーが含まれる。
【００２６】
図４はマイコン３１による処理の一部を示すフローチャートである。この処理は、受信モード及び送信モードにおいて、所定の間隔で繰り返し行われる。処理を開始すると、マイコン３１はまず、ステップ４１において、押下圧力設定モードへの移行操作が行われたか否かを判定する。該操作が行われていないと判定した場合にはステップ４２へ進み、ＰＴＴスイッチ１１がオン状態か否かを判定する。この判定は、上述のように圧力センサ２２が検出する圧力と設定押下圧力との比較に基づいて行われるが、押下圧力の設定は後述のステップ４６において行われる。押下圧力の設定がなされていない場合には、所定のデフォルト値が用いられる。
【００２７】
ステップ４２においてＰＴＴスイッチ１１がオン状態にないと判定した場合には、ステップ４３において、受信モードにあれば受信モードを維持し、又は送信モードにあれば受信モードに移行する。その後、図４の処理を終了する。ステップ４２においてＰＴＴスイッチ１１がオン状態にあると判定した場合には、ステップ４４において、受信モードにあれば送信モードに移行し、送信モードにあれば送信モードを維持する。その後、図４の処理を終了する。
【００２８】
ステップ４１において押下圧力設定モードへの移行操作が行われたと判定した場合には押下圧力設定モードに移行し、ステップ４５及び４６による押下圧力設定処理を行う。すなわちステップ４５において、所定時間内に、ＰＴＴキー２３が押下され、かつその状態で押下圧力読取キーが押下されたか否かを判定する。所定時間内にこれらの押下が正しくなされなかった場合やキャンセル操作がなされた場合には、押下圧力設定モードを解除して受信モードへ移行し、図４の処理を終了する。所定時間内にこれらの押下がなされたと判定した場合には、ステップ４６へ進み、押下圧力読取キーが押下されたタイミングでセンサ２２が出力する圧力値を読み取り、その値を押下圧力の設定値として記憶する。その後、押下圧力設定モードを解除して受信モードへ移行し、図４の処理を終了する。
【００２９】
これによれば、ユーザは、押下圧力設定モードに移行させ（ステップ４１）、ＰＴＴキー２３を所望の押下圧力で押下しながら押下圧力読取キーを押下することにより（ステップ４５）、そのときのＰＴＴキー２３の押下圧力を、押下圧力の設定値とすることができる（ステップ４６）。この設定の後、ユーザは設定した押下圧力以上の押下圧力でＰＴＴキー２３を押下することにより、容易にＰＴＴスイッチ１１をオン状態とし（ステップ４２、４４）、送話を行うことができる。
【００３０】
図５は本発明の第２の実施形態に係る無線機における主要部の構成を示すブロック図である。図２や図３中の符号と同一の符号は図２や図３の場合と同様の要素を示す。この無線機の外観図としては、図１をそのまま適用することができる。図５中の５１は、ディスプレイ１３（図１）を有する表示部である。マイコン３１は、圧力センサ２２やその他のキー３２による入力に基づいて必要な処理を行い、装置各部の制御行う。その際、必要な情報を表示部５１において表示する。
【００３１】
表示部５１における情報の表示には、後述の押下圧力設定モードにおいて行われる押下圧力の暫定的な設定値の表示が含まれる。この暫定設定値の表示としては、たとえば「１」、「２」、「３」・・・のような数値による表示や、棒グラフによる表示を用いることができる。棒グラフによる表示としては、既に備わっている無線信号強度についてのメータ表示を流用することも可能である。
【００３２】
その他のキー３２には、押下圧力設定モードへ移行させる操作を行うためのキーが含まれる。その他のキー３２にはまた、押下圧力設定モードにおいて、表示されている暫定設定値を変更するための変更キーとして機能するキーが含まれる。変更キーはアップキー及びダウンキーにより構成され、アップキーは暫定設定値を増加させ、ダウンキーはこれを減少させるために用いられる。その他のキー３２にはさらに、押下圧力設定モードにおいて、表示されている暫定設定値を押下圧力の設定値として確定するための確定キーとして機能するキーが含まれる。
【００３３】
図６はマイコン３１による処理の一部を示すフローチャートである。ステップ６１〜６４の処理は図４におけるステップ４１〜４４の処理と同じである。ステップ６１において押下圧力設定モードへの移行操作が行われたと判定すると、押下圧力設定モードに移行して、ステップ６５〜６８による押下圧力設定処理を行う。すなわちまず、ステップ６５において、現在の押下圧力の設定値、又は所定のデフォルト値を、暫定設定値として表示する。次に、ステップ６６において、変更キーが押下されたか否かを判定する。押下されたと判定した場合には、ステップ６５に戻り、暫定設定値の表示を、変更キーによる変更後の暫定設定値の表示に変更する。
【００３４】
ステップ６６において、変更キーが押下されなかったと判定した場合には、ステップ６７において、確定キーが押下されたか否かの判定を行う。押下されなかったと判定した場合にはステップ６６に戻る。押下されたと判定した場合には、ステップ６８において、表示されている暫定設定値を、押下圧力についての確定された設定値として記憶する。その後、押下圧力設定モードを解除して受信モードへ移行し、図６の処理を終了する。
【００３５】
これによれば、ユーザは、押下圧力設定モードに移行させ（ステップ６１）、表示される暫定設定値をアップキー又はダウンキーの押下によって所望の値に変更し（ステップ６６）、そして、確定キーを押下することによって（ステップ６７）、ＰＴＴスイッチ１１をオンするための押下圧力を、所望の値に設定し又は変更することができる。
【００３６】
図７は本発明の第３の実施形態に係る無線機における主要部の構成を示すブロック図である。図２や図３中の符号と同一の符号は図２や図３の場合と同様の要素を示す。この無線機の外観図としては、図１をそのまま適用することができる。図７中の７１はマイコン３１が出力する音声信号を音波に変換するスピーカである。
【００３７】
マイコン３１は、後述の押下圧力設定モードにおいて、押下圧力についての暫定的な設定値に対応する音の音声信号を生成し、スピーカ７１に出力することができる。暫定設定値に対応する音としては、たとえば、暫定設定値の大きさを、音量の大小で示すものや、音の高低で示すものが該当する。また、暫定設定値の大きさを、「ピッピッピッ」、「ピピピピピ」、「ピー」のように、断続音の間隔の大小で示すものや、「ブー」、「ピー」、「ポー」のように音色の相違によって示すものであってもよい。
【００３８】
その他のキー３２には、押下圧力設定モードへ移行させる操作を行うためのキーが含まれる。その他のキー３２にはまた、押下圧力設定モードにおいて、スピーカ７１からの音により表される暫定設定値を変更するための変更キーとして機能するキーが含まれる。変更キーはアップキー及びダウンキーにより構成される。アップキーは暫定設定値を増加させ、ダウンキーはこれを減少させるために用いられる。その他のキー３２にはさらに、押下圧力設定モードにおいて、スピーカ７１からの音により表されている暫定設定値を、閾押下圧力の設定値として確定するための確定キーとして機能するキーが含まれる。
【００３９】
図８はマイコン３１による処理の一部を示すフローチャートである。ステップ８１〜８４の処理は、図４におけるステップ４１〜４４の処理と同じである。マイコン３１はステップ８１において押下圧力設定モードへの移行操作が行われたと判定すると、押下圧力設定モードに移行し、ステップ８５〜８８による押下圧力設定処理を行う。すなわち、ステップ８５において、現在の暫定設定値又は所定のデフォルト値に対応する音の音声信号をスピーカ７１に出力する。次に、ステップ８６において、変更キーが押下されたか否かを判定する。押下されたと判定した場合には、ステップ８５に戻り、変更キーの押下による変更後の暫定設定値に対応する音の音声信号をスピーカ７１に出力する。
【００４０】
ステップ８６において変更キーが押下されなかったと判定した場合には、ステップ８７において、確定キーが押下されたか否かの判定を行う。押下されなかったと判定した場合にはステップ８６に戻る。押下されたと判定した場合には、ステップ８８において、スピーカ７１から出力されている音に対応する暫定設定値を、押下圧力についての確定された設定値として記憶する。その後、押下圧力設定モードを解除して受信モードへ移行し、図８の処理を終了する。
【００４１】
これによれば、ユーザは、所定の操作により押下圧力設定モードに移行させ（ステップ８１）、スピーカ７１からの音により表わされている暫定設定値をアップキー又はダウンキーにより所望の値に変更し（ステップ８６）、確定キーを押下することによって（ステップ８７）、ＰＴＴスイッチ１１をオンするために必要な押下圧力を所望の値に設定し又は変更することができる。
【００４２】
図９は本発明の第４の実施形態に係る無線機におけるＰＴＴスイッチ１１の構造を示す断面図である。同図における図２と同一の符号は、図２の場合と同様の要素を示す。この無線機の外観図としては、図１をそのまま用いることができる。図９における９１及び９２はそれぞれ、シャシ２１及びＰＴＴキー２３間に設けられたタクトスイッチである。
【００４３】
タクトスイッチ９１はケース２４上に露出しているＰＴＴキー２３部分の真下に位置する。つまり、ＰＴＴキー２３が矢印２５のように押下された場合、押下圧力が直接的にタクトスイッチ９１に伝わるようになっている。タクトスイッチ９２は上記露出部分から外れた位置に位置している。したがって、タクトスイッチ９２に対しては、タクトスイッチ９１に伝わる押下圧力の半分程度の力が伝わる。したがって、タクトスイッチ９１はタクトスイッチ９２がオンとなる押下圧力の半分程度の押下圧力でオンとなる。
【００４４】
図１０は本実施形態に係る無線機における要部の構成を示すブロック図である。マイコン３１はタクトスイッチ９１及び９２、並びにその他のキー３２からの信号に基づいて、必要な処理を行い、装置各部を制御する。その他のキー３２には、ＰＴＴスイッチ１１をオン状態にする押下圧力を強弱いずれかに設定するための強弱設定キーが含まれる。この押下圧力の設定値が「強」である場合には、タクトスイッチ９２がオン状態になったときに、ＰＴＴスイッチ１１がオン状態になったと判定される。「弱」である場合には、タクトスイッチ９１がオン状態になったとき、ＰＴＴスイッチ１１がオン状態になったと判定されることになる。
【００４５】
図１１はマイコン３１による処理の一部を示すフローチャートである。この処理は、受信モード又は送信モードにおいて、所定の間隔で繰り返し行われる。処理を開始すると、まず、ステップ１０１において、強弱設定キーの操作があったか否かを判定する。該操作がなかったと判定した場合にはステップ１０２へ進み、ＰＴＴスイッチ１１がオン状態にあるか否かを判定する。この判定では、上述のように、ＰＴＴスイッチ１１をオン状態とする押下圧力の設定値が「強」であるときはタクトスイッチ９２がオン状態であるとき、「弱」であるときはタクトスイッチ９１がオン状態であるときに、ＰＴＴスイッチ１１がオン状態にあると判定する。
【００４６】
ステップ１０２においてＰＴＴスイッチ１１がオン状態にないと判定した場合には、ステップ１０３へ進み、受信モードにあれば受信モードを維持し、又は送信モードにあれば受信モードに移行する。その後、図４の処理を終了する。ステップ１０２においてＰＴＴスイッチ１１がオン状態にあると判定した場合には、ステップ１０４において、受信モードにあれば送信モードに移行し、送信モードにあれば送信モードを維持する。その後、図４の処理を終了する。
【００４７】
一方、ステップ１０１において強弱設定キーの操作があったと判定した場合には、ステップ１０５において、ＰＴＴスイッチ１１をオン状態とする押下圧力を、強弱設定キーの操作内容に応じて「強」又は「弱」に設定する。この後、図１１の処理を終了する。
【００４８】
これによれば、ユーザは、強弱設定キーを操作することにより、ＰＴＴスイッチ１１をオン状態とするための押下圧力を強弱のいずれかに設定し（ステップ１０５）、この押下圧力を、自身の指の力や無線機の操作状況に適合させることができる。
【００４９】
図１２は本発明の第５の実施形態に係る無線機におけるＰＴＴスイッチ１１の構造を示す断面図である。同図における図２と同一の符号は、図２の場合と同様の要素を示す。この無線機の外観図としては、図１をそのまま用いることができる。図１２における１２１〜１２３はシャシ２１及びＰＴＴキー２３間に設けられたタクトスイッチである。
【００５０】
タクトスイッチ１２１はケース２４上に露出しているＰＴＴキー２３部分の真下に位置する。つまり、ＰＴＴキー２３が矢印２５のように押下された場合、押下圧力が直接的にタクトスイッチ１２１に伝わるようになっている。タクトスイッチ１２２は上記露出部分から外れた位置に位置している。したがって、タクトスイッチ１２２に対しては、タクトスイッチ１２１に伝わる圧力の半分程度の力が伝わる。したがって、タクトスイッチ１２２はタクトスイッチ１２１がオンとなる押下圧力の倍程度の押下圧力でオンとなる。タクトスイッチ１２３は、タクトスイッチ１２２よりも上記露出部分からより外れた位置に位置する。したがって、タクトスイッチ１２３は、タクトスイッチ１２２がオンとなる押下圧力よりも大きな押下圧力でＰＴＴキー２３が押下された場合にオンとなる。
【００５１】
図１３は本実施形態に係る無線機における要部の構成を示すブロック図である。マイコン３１はタクトスイッチ１２１〜１２３及びその他のキー３２からの信号に基づいて、必要な処理を行い、装置各部を制御する。その他のキー３２には、ＰＴＴスイッチ１１をオン状態とするキー２３の押下圧力を強中弱いずれかの押下圧力に設定するための強弱設定キーが含まれる。この押下圧力の設定値が「強」、「中」又は「弱」である場合、それぞれタクトスイッチ１２３、１２２、又は１２１がオン状態にあるとき、ＰＴＴスイッチ１１がオン状態にあると判定される。
【００５２】
本実施形態では、マイコン３１の処理上は、図９〜１１の実施形態に対し、設定値として「中」が加わるだけである。したがってこの点を除けば、マイコン３１の処理については、図１１をそのまま適用することができる。ユーザが得られる利点も同様である。
【００５３】
図１４は本発明の第６の実施形態に係る無線機におけるＰＴＴスイッチ１１の構造を示す断面図である。同図における図２の場合と同一の符号は、図２の場合と同様の要素を示す。この無線機の外観図としては、図１をそのまま用いることができる。図１４における１４１はシャシ２１及びＰＴＴキー２３間に設けられた２段階タクトスイッチである。
【００５４】
２段階タクトスイッチ１４１はケース２４上に露出しているＰＴＴキー２３部分の真下に位置する。つまり、ＰＴＴキー２３が矢印２５のように押下された場合、押下圧力が２段階タクトスイッチ１２１に伝わるようになっている。２段階タクトスイッチ１４１はこの押下圧力を強弱の２段階で検出する機能を有する。
【００５５】
図１５は本実施形態に係る無線機における要部の構成を示すブロック図である。２段階タクトスイッチ１４１は同図に示すように、弱検出素子１５１及び強検出素子１５２を備える。弱検出素子１５１は弱い押下圧力を検出する。強検出素子１５２は強い押下圧力を検出する。マイコン３１は弱検出素子１５１、強検出素子１５２及びその他のキー３２からの信号に基づいて、必要な処理を行い、装置各部を制御する。また、マイコン３１は弱検出素子１５１及び強検出素子１５２の出力に基づき、ＰＴＴスイッチ１１がオン状態にあるか否かを判定する。
【００５６】
その他のキー３２には、ＰＴＴスイッチ１１をオン状態にするＰＴＴキー２３への押下圧力を強弱いずれかに設定するための強弱設定キーが含まれる。この押下圧力の設定値が「強」である場合には、強検出素子１５２がオン状態にあるとき、ＰＴＴスイッチ１１がオン状態にあると判定される。「弱」である場合には、弱検出素子１５１がオン状態にあるとき、ＰＴＴスイッチ１１がオン状態にあると判定される。
【００５７】
マイコン３１による処理としては、図１１の処理をそのまま適用することができる。ユーザが得られる利点についても、図１１の処理により得られる利点と同等である。
【００５８】
図１６は本発明の第７の実施形態に係る無線機におけるＰＴＴスイッチ１１の構造を示す断面図である。同図における図２と同一の符号は、図２の場合と同様の要素を示す。この無線機の外観図としては、図１をそのまま用いることができる。図１６における１６１はシャシ２１及びＰＴＴキー２３間に設けられたタクトスイッチ、１６２はシャシ２１及びＰＴＴキー２３間において、タクトスイッチ１６１と並べて設けられたばねである。
【００５９】
タクトスイッチ１６１及びばね１６２はケース２４上に露出しているＰＴＴキー２３部分の下に位置する。つまりばね１６２は、ＰＴＴキー２３が矢印２５のように押下された場合、その押下圧力とは逆向きの力をＰＴＴキー２３に対して付与する。そして、その押下圧力からばね１６２による逆向きの力を差し引いた押下圧力がタクトスイッチ１６１に付与される。タクトスイッチ１６１に対して所定値以上の押下圧力が付与されると、タクトスイッチ１６１がオン状態となる。無線機はタクトスイッチ１６１がオン状態にあるとき、ＰＴＴスイッチ１１がオン状態にあると判定する。ばね１６２は所望のばね定数のものと交換することができるようになっている。したがってユーザは、ばね１６２を、所望のばね定数のものと交換することにより、ＰＴＴスイッチ１１をオン状態とするための押下圧力を所望の値に設定することができる。
【００６０】
図１７は本発明の第８の実施形態に係る無線機におけるＰＴＴスイッチ１１の構造を示す断面図である。図１６の実施形態に対し、シャシ２１の裏側からばね１６２の下部へ向けてねじ込まれたねじ１７１を設け、ねじ１７１によりばね１６２の下部を受けるようにしたものである。他の点については、図１６の実施形態の場合と同様である。これによれば、ねじ１７１のねじ込み量を調整することにより、ＰＴＴスイッチ１１をオン状態とするための押下圧力を所望の値に調整することができる。
【００６１】
なお、本発明は上述各実施形態に限定されることなく、適宜変形して実施することができる。たとえば、上述の図６及び図８の態様においては、暫定設定値を変更するために変更キーを用いるようにしているが、この代わりに、ＰＴＴキー２３を用いるようにしてもよい。この場合、ＰＴＴキー２３の押下圧力を圧力センサ２２で検出し、暫定設定値を、検出した圧力に変更することにより、ＰＴＴキー２３による暫定設定値の変更を行うことができる。
【００６２】
また、上述の図４の態様においては、ＰＴＴキー２３が押下されているときに圧力センサ２２が検出する圧力を、読取キーが押下されたタイミングで読み取って、押下圧力の設定値とするようにしているが、この代わりに、押下圧力設定モードに移行してから最も強くＰＴＴキー２３が押下されたときの圧力センサ２２による検出圧力を記憶しておき、ＰＴＴキー２３の押下が停止されてから所定のキーが押下されたとき、記憶してある圧力を押下圧力の設定値とするようにしてもよい。あるいは、押下圧力設定モードに移行してから所定時間後の圧力センサ２２による検出圧力を押下圧力の設定値とするようにしてもよい。
【図面の簡単な説明】
【００６３】
【図１】本発明の一実施形態に係る無線機の外観図である。
【図２】図１の無線機におけるＰＴＴスイッチの構造を示す断面図である。
【図３】図１の無線機における要部の構成を示すブロック図である。
【図４】図１の無線機のマイコンによる処理の一部を示すフローチャートである。
【図５】本発明の第２の実施形態に係る無線機における主要部の構成を示すブロック図である。
【図６】図５の無線機のマイコンによる処理の一部を示すフローチャートである。
【図７】本発明の第３の実施形態に係る無線機における主要部の構成を示すブロック図である。
【図８】図７の無線機のマイコンによる処理の一部を示すフローチャートである。
【図９】本発明の第４の実施形態に係る無線機におけるＰＴＴスイッチの構造を示す断面図である。
【図１０】図９のＰＴＴスイッチを有する無線機における要部の構成を示すブロック図である。
【図１１】図１０の無線機のマイコンによる処理の一部を示すフローチャートである。
【図１２】本発明の第５の実施形態に係る無線機におけるＰＴＴスイッチの構造を示す断面図である。
【図１３】図１２のＰＴＴスイッチを有する無線機における要部の構成を示すブロック図である。
【図１４】本発明の第６の実施形態に係る無線機におけるＰＴＴスイッチの構造を示す断面図である。
【図１５】図１４のＰＴＴスイッチを有する無線機における要部の構成を示すブロック図である。
【図１６】本発明の第７の実施形態に係る無線機におけるＰＴＴスイッチの構造を示す断面図である。
【図１７】本発明の第８の実施形態に係る無線機におけるＰＴＴスイッチの構造を示す断面図である。
【図１８】従来例に係るＰＴＴスイッチの構造を示す断面図である。
【符号の説明】
【００６４】
１１：ＰＴＴスイッチ、１２：キーパッド、１３：ディスプレイ、１４：オプションスイッチ、２１：シャシ、２２：圧力センサ、２３：ＰＴＴキー、２４：ケース、２５：矢印、３１：マイコン、３２：その他のキー、５１：表示部、７１：スピーカ、９１，９２１２１，１２２，１２３，１６１，１８１：タクトスイッチ、１４１：２段階タクトスイッチ、１５１：弱検出素子、１５２：強検出素子、１６２：ばね、１７１：ねじ。
【図１】
2007142512.tif 000003
【図２】
2007142512.tif 000004
【図３】
2007142512.tif 000005
【図４】
2007142512.tif 000006
【図５】
2007142512.tif 000007
【図６】
2007142512.tif 000008
【図７】
2007142512.tif 000009
【図８】
2007142512.tif 000010
【図９】
2007142512.tif 000011
【図１０】
2007142512.tif 000012
【図１１】
2007142512.tif 000013
【図１２】
2007142512.tif 000014
【図１３】
2007142512.tif 000015
【図１４】
2007142512.tif 000016
【図１５】
2007142512.tif 000017
【図１６】
2007142512.tif 000018
【図１７】
2007142512.tif 000019
【図１８】
2007142512.tif 000020